(57)【要約】【課題】  サーバー内のファイルに付せられたＵＲＬに、数字と記号とを含む任意の文字列で縮減した短縮コードを対応させ、該短縮コードのうち記憶することが容易であって稀少な文字列の組合せを、所望する者に取得機会を公平に与える。【解決手段】予め設定された期限によって、ＵＲＬとの対応関係を失したＵＲＬ短縮コードの存在を、コンピュータ・ネットワークや広告媒体等を利用して広く一般に告知して、該ＵＲＬ短縮コードの使用希望者を募り、希望者が複数であった場合にはオークションあるいは抽選によって、該ＵＲＬ短縮コードを一定期間有償貸与する。【選択図】  なし【特許請求の範囲】
【請求項１】
コンピュータ・ネットワーク上のサーバー・コンピュータへのアクセスを簡便な操作で実行することを目的として、ＵＲＬに対応する任意の桁数の数字と記号とを含む任意の文字列によって縮減したＵＲＬ短縮コードを、ＵＲＬ短縮コード変換サーバー・コンピュータによってＵＲＬに変換し、対応するサーバー・コンピュータに接続するシステムにおいて、ＵＲＬとＵＲＬ短縮コードとの対応関係には一定の期限を設け、期限によって対応関係を失したＵＲＬ短縮コードを、その取得を希望する者によるオークション、あるいは入札、あるいは抽選によって、新たな対応づけが決定されるものであることを特徴とするＵＲＬ短縮コード変換システム。
【請求項２】
請求項１記載のＵＲＬ短縮コード変換システムであって、ＵＲＬとの新たな対応づけをおこなうために実施されるオークション、あるいは入札、あるいは抽選は、ＵＲＬ短縮コード文字列の文字数あるいは記憶の難易度ごとにおこなわれるものであることを特徴とするＵＲＬ短縮コード変換システム。
【請求項３】
請求項１記載のＵＲＬ短縮コード変換システムであって、請求項１及び請求項２記載のオークションは、コンピュータ・ネットワークを利用して、あるいは特定の場所における対面形式又は投票形式によって、あるいは音声媒体によって実行され、それらを利用して応札額を入力、あるいは記述、あるいは発声によって提示されるものであることを特徴とするＵＲＬ短縮コード変換システム。
【請求項４】
請求項１記載のＵＲＬ短縮コード変換システムであって、請求項１、請求項２、請求項３記載のオークションは、増額方式あるいは減額方式によって実行されるものであることを特徴とするＵＲＬ短縮コード変換システ厶。
【発明の詳細な説明】
【技術分野】
【０００１】  インターネット上に開設されるＷＥＢサーバーのＵＲＬに関する。
【背景技術】
【０００２】  コンピュータ等の入力手段から、無機質かつ冗長な文字列からなるＵＲＬを入力することは、入力操作の習熟の有無を問わず、好まざる操作を強いられることとなって、ＵＲＬへのアクセス数の向上の妨げとなっており、この状況を解決するために目的とするＵＲＬに対応する、任意の文字列によって縮減したＵＲＬ短縮コードによって、入力操作を簡略化することでアクセス数の向上を図るシステムが期待される。
そのようなシステムにおいては、記憶しやすい、あるいは入力しやすい文字列からなるＵＲＬ短縮コードへの所望が殺到することが予想されが、それらの文字列は有限かつ稀少であるため、記憶しやすい、あるいは入力しやすい文字列を所望する者へ公平に分配することが困難である。
【発明の開示】
【発明が解決しようとする課題】
【０００３】  サーバー内のファイルに付せられたＵＲＬに、数字と記号とを含む任意の文字列で縮減した短縮コードを対応させ、該短縮コードのうち容易に記憶しやすい、あるいは入力しやすい稀少な文字列の組合せを、所望する者に公平な取得機会を与える。
【課題を解決するための手段】
【０００４】  請求項１記載の発明は、コンピュータ・ネットワーク上のサーバー・コンピュータへのアクセスを簡便な操作で実行することを目的として、ＵＲＬに対応する任意の桁数の数字と記号とを含む任意の文字列によって縮減したＵＲＬ短縮コードを、ＵＲＬ短縮コード変換サーバー・コンピュータによってＵＲＬに変換し、対応するサーバー・コンピュータに接続するシステムにおいて、ＵＲＬとＵＲＬ短縮コードとの対応関係には一定の期限を設け、期限によって対応関係を失したＵＲＬ短縮コードを、その取得を希望する者によるオークション、あるいは入札、あるいは抽選によって、新たな対応づけが決定されるものであるよう構成される。【０００５】  請求項２記載の発明は、ＵＲＬとの新たな対応づけをおこなうために実施されるオークション、あるいは入札、あるいは抽選は、ＵＲＬ短縮コード文字列の文字数あるいは記憶の難易度ごとにおこなわれるものであるよう構成される。【０００６】  請求項３記載の発明は、請求項１、請求項２記載のオークション、あるいは入札は、コンピュータ・ネットワークを利用して、あるいは特定の場所における対面形式又は投票形式によって、あるいは音声媒体によって実行され、それらを利用して応札額を入力、あるいは記述、あるいは発声によって提示されるものであるよう構成される。【０００７】  請求項４記載の発明は、請求項１、請求項２、請求項３記載のオークションは、増額方式あるいは減額方式によって実行されるものであるよう構成される。
【発明の効果】
【０００８】  本発明は、上記のように構成されているので、ＵＲＬ短縮コードを入力することによって、該ＵＲＬ短縮コードが対応しているＵＲＬに簡易にアクセスすることが実現される。また、特に容易に記憶あるいは入力操作を実行可能なＵＲＬ短縮コードには、それを所望する者が殺到することが予想されるため、該ＵＲＬ短縮コードを所望する者によるオークション、あるいは入札によって落札者を決するか、あるいは抽選によって使用者を決することで、取得機会の公平性が保たれる。
【発明を実施するための最良の形態】
【０００９】  予め設定された期限によって、ＵＲＬとの対応関係を失したＵＲＬ短縮コードの存在を、コンピュータ・ネットワークや広告媒体等を利用して広く一般に告知して、該ＵＲＬ短縮コードの使用希望者を募り、希望者が複数であった場合にはオークション、あるいは入札、あるいは抽選によって使用者を決し、該ＵＲＬ短縮コードを一定期間有償貸与する。【００１０】  前記オークションの方法は、コンピュータ・ネットワーク上に開設される、いわゆる、ネットオークション、あるいは郵便や入札箱に投函される印刷又は記述媒体、あるいは電話等の音声媒体を利用して、応札額を入力、あるいは記述、あるいは発声によって提示され、落札者が決せられるものである。【００１１】  オークション、あるいは入札、あるいは抽選のいずれの場合であっても、容易に記憶あるいは入力操作を実行可能なＵＲＬ短縮コードには、使用を希望する者が殺到することが予想され、文字列を構成する桁数あるいは文字数ごとに、最低オークション開始額あるいは使用料を設定する。
【実施例１】
【００１２】  任意の桁数からなる文字列ごとに分類したＵＲＬ短縮コード、例えば、「＃１」のごとき２桁、「＃０１」のごとき３裄、「＃１０１」のごとき４桁、「＊＊００１１」のごとき６桁ごとに、例えば３ヶ月に限定した使用料を定め、その期限によってＵＲＬとの対応関係を失したＵＲＬ短縮コードを、インターネット上に設けたサーバーによって、新たな使用希望者を募る情報を流布する。【００１３】  当然のことながら、文字数の少ない、あるいは「＃１２３」のごとき容易に記憶しやすいＵＲＬ短縮コードへの使用希望が多く寄せられることは想像するに難くない。
それらの短くあるいは記憶しやすい文字列からなるＵＲＬ短縮コードは稀少かつ有限であるため、通常の市場原理によって価格を決することは困難であって、最低オークション開始額を設定したオークションによって、落札した者へ、例えば３ヶ月間の使用権を新たに貸与する。【００１４】  前記のオークションはインターネット上に開設されたサーバー・コンピュータ上で実施される、いわゆるネットオークションによって、文字列の桁数ごとに広く参加者を募り、使用希望者はインターネットを利用して応札をおこなう。【００１５】  オークションの方式は最低オークション開始額からの増額方式、あるいは上限額からの減額方式のいずれかを選択する。
【実施例２】
【００１６】  ＵＲＬ短縮コードそのものの普及を意図して、記憶することが容易な、例えば「＃１２３」のごときＵＲＬ短縮コードを、インターネットに開設されたサーバー・コンピュータによって、新たな使用希望者を募る情報を流布し、多数の応募者にそれぞれ任意の数字を選択させ、それらを擬似乱数に対応させる抽選によって使用権の貸与者を決定する。
【産業上の利用可能性】
【００１７】  無機質かつ冗長な文字列からなるＵＲＬを、任意の桁数の数字と記号を含む任意の文字列によって縮減、置換し、入力を簡略化することにより、ＵＲＬへのアクセス数の向上が期待される。
記憶することが容易な文字列への所望が殺到することが予想されるが、市場経済社会においては、需要と供給によって、ものやサービスの価格が決せられるのが一般的であるが、記憶することが容易な文字列は、有限かつ稀少であるため、オークション、あるいは入札によってそれらの価格を決し、あるいは抽選によって取得機会を与えることが社会的な公平性を唯一満たす手段である。